(57)【要約】  復調装置は、多値変調信号に基づき受信信号点を特定する第１特定部と、受信信号点から特定されるデータの複数のビットのうち、信号平面での硬判定境界が該平面の２軸の一方と平行な特定ビットの値の尤度を、受信信号点と該特定ビットの境界との距離に基づき特定する第２特定部と、特定ビットの値について該尤度を用いて軟判定復号する復号部と、複数の変調信号点の中から、変調信号点の各々に対応するデータのうち復号された特定ビットの値を有する候補データに対応する複数の候補信号点を特定し、受信信号点までの距離が最も短い候補信号点に対応づけられたデータを用いて、特定ビット以外のビットの値を特定する第３特定部と、を含む。
2014174862.tif 000002
【特許請求の範囲】
【請求項１】
多値変調された信号を受信し、当該信号に基づいて信号平面での受信信号点を特定する受信信号点特定手段と、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定する尤度特定手段と、
前記特定ビットの値について前記尤度を用いて軟判定復号する復号手段と、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する所定ビット値特定手段と、を含む復調装置。
【請求項２】
前記特定ビットが、前記複数のビットのうち下位の偶数個のビットとなるように、前記複数の変調信号点の位置と、前記複数の変調信号点に対応するデータとが、設定されている、請求項１に記載の復調装置。
【請求項３】
前記複数の候補信号点間の距離が等しくなるように、前記複数の変調信号点の配置および前記複数の変調信号点の各々に対応づけられたデータが設定されている、請求項１または２に記載の復調装置。
【請求項４】
前記変調信号点の数は、２(2n+1)（ただしｎは２以上の整数）であり、
前記変調信号点に対応するデータのビット数は、２ｎ＋１である、請求項１から３のいずれか１項に記載の復調装置。
【請求項５】
前記ｎは、２以上の整数であり、かつ、変化する値であり、
前記所定ビットの数は、前記ｎの値に関わらず一定である、請求項４に記載の復調装置。
【請求項６】
前記特定ビットが、前記変調信号点に対応するデータの２ｎ＋１ビットのうち下位の２ｎ−２ビットとなるように、前記複数の変調信号点の位置と、前記複数の変調信号点に対応するデータとが、設定されている、請求項５に記載の復調装置。
【請求項７】
復調装置が行う復調方法であって、
多値変調された信号を受信し、当該信号に基づいて信号平面での受信信号点を特定し、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定し、
前記特定ビットの値について前記尤度を用いて軟判定復号し、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する、復調方法。
【請求項８】
コンピュータに、
多値変調された信号を受信し、当該信号に基づいて信号平面での受信信号点を特定する受信信号点特定手順と、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定する尤度特定手順と、
前記特定ビットの値について前記尤度を用いて軟判定復号する復号手順と、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する所定ビット値特定手順と、を実行させるためのプログラムを記録したコンピュータ読み取り可能な記録媒体。
【発明の詳細な説明】
【技術分野】
【０００１】
本発明は、復調装置、復調方法およびプログラムに関し、特には、多値変調された信号を復調する復調装置、復調方法およびプログラムに関する。
【背景技術】
【０００２】
無線通信用の多重伝送方式として、３２ＱＡＭ（Quadrature Amplitude Modulation：直交振幅変調）方式や６４ＱＡＭ方式等の多値変調方式が知られている（特許文献１参照）。【０００３】
図１は、関連技術の多値ＱＡＭ送受信回路１００を示した図である。以下では、多値ＱＡＭ方式として１６ＱＡＭ方式が用いられた場合の例を説明する。【０００４】
多値ＱＡＭ送受信回路１００は、送信回路１０１と、受信回路１０２と、を含む。【０００５】
送信回路１０１では、通信路符号化回路１０１ａは、送信データ１００ａを通信路符号化して４ビットを１組とする伝送データ（シンボル）を生成する。通信路符号化回路１０１ａは、伝送データ（シンボル）を信号点変換回路１０１ｂに出力する。【０００６】
伝送データは、４ビットのデータであるので１６通りの値のいずれかを表す。１６ＱＡＭ方式では、１６通りの値がそれぞれシンボルとして用いられる。【０００７】
図２は、４ビットの伝送データとシンボルとの対応を示した図である。【０００８】
１６ＱＡＭ方式では、図２に示された１６種類のシンボル（０）〜（１５）は、ＩＱ平面上にユニークに配置された１６個の信号点（以下「変調信号点」と称する）と予め対応づけられている。ＩＱ平面は、Ｉ軸とＱ軸にて規定された信号平面（信号空間）である。以下では、ＩＱ平面の代わりにｘｙ平面が用いられる。ｘｙ平面はｘ軸とｙ軸にて規定される。【０００９】
図３は、ｘｙ平面上に配置された１６個の変調信号点の一例を示した図である。図４は、図３に示された１６個の変調信号点と図２に示された１６種類のシンボルとの対応の一例を示した図である。なお、図４に示されたような変調信号点とシンボルとの対応関係は「ＱＡＭシンボル配置」とも称される。【００１０】
送信回路１０１内の信号点変換回路１０１ｂは、ＱＡＭシンボル配置を記憶している。【００１１】
信号点変換回路１０１ｂは、ＱＡＭシンボル配置に従って、通信路符号化回路１０１ａからのシンボルを、そのシンボルに対応する変調信号点（以下「対応変調信号点」と称する）の座標（ｘ、ｙ）に変換する。信号点変換回路１０１ｂは、対応変調信号点の座標（ｘ、ｙ）をディジタル変調回路１０１ｃに出力する。【００１２】
ディジタル変調回路１０１ｃは、位相が直交する２つの波の一方の波の振幅を、対応変調信号点のｘ座標に応じて変調し、他方の波の振幅を、対応変調信号点のｙ座標に応じて変調する。ディジタル変調回路１０１ｃは、振幅が変調された２つの波を合成して変調信号（多値変調信号）を生成する。【００１３】
変調信号は、Ｄ／Ａ変換部２００にてディジタル信号からアナログ信号に変換され、不図示のアンテナから送信される。【００１４】
受信回路１０２では、不図示のアンテナが、不図示の他の多値ＱＡＭ送受信回路から送信された変調信号を受信する。Ａ／Ｄ変換部３００は、受信された変調信号をアナログ信号からディジタル信号に変換する。【００１５】
ディジタル復調回路１０２ａは、Ａ／Ｄ変換部３００からの変調信号を復調して、変調信号にて特定されるｘｙ平面上の座標（以下「受信信号点」と称する）を求める。ディジタル復調回路１０２ａは、受信信号点を表す復調信号を生成する。ディジタル復調回路１０２ａは、復調信号を信号点逆変換回路１０２ｂに出力する。【００１６】
なお、受信信号点は、伝送路等で混入する雑音や波形歪みの影響を受ける。このため、受信信号点は、図４に示した変調信号点の位置からずれる可能性が高い。【００１７】
信号点逆変換回路１０２ｂは、信号点変換回路１０１ｂが記憶しているＱＡＭシンボル配置と同一内容のＱＡＭシンボル配置を記憶している。【００１８】
信号点逆変換回路１０２ｂは、ＱＡＭシンボル配置に示された変調信号点の中から、復調信号が表す受信信号点に対応する変調信号点（シンボル）を判定する。以下、この判定を「シンボル判定」とも称する。【００１９】
シンボル判定の方式としては、硬判定と軟判定がある。【００２０】
ここで、２値シンボルの要素を数値“＋１０”、“−１０”で定義している場合での硬判定と軟判定について説明する。【００２１】
硬判定では、受信信号に対応するシンボルは“＋１０”または“−１０”としか判定されない。【００２２】
一方、軟判定では、受信信号に対応するシンボルは、−１０〜＋１０の範囲の値を用いて判定される。さらに言えば、軟判定の結果は、シンボルの硬判定結果とその硬判定結果の尤度とを表す。例えば、硬判定の結果が“＋１０”である場合、軟判定結果は正の値となり、硬判定の結果の尤度が低いほど、軟判定結果は０に近い値となる。一方、硬判定の結果が“−１０”である場合、軟判定結果は負の値となり、硬判定の結果の尤度が低いほど、軟判定結果は０に近い値となる。【００２３】
軟判定は、硬判定よりも複雑な方式となるが、硬判定よりも高度な誤り訂正（軟判定誤り訂正復号）を採用できる。このため、多くの通信装置は、目標とする誤り率特性を達成するために、軟判定方式を採用している。【００２４】
以下、信号点逆変換回路１０２ｂでも軟判定方式が採用されているとする。【００２５】
信号点逆変換回路１０２ｂは、シンボル判定にて判定された変調信号点（シンボル）に対応する４ビットの各ビットの軟判定値を、軟判定信号として通信路復号化回路１０２ｃに出力する。通信路復号化回路１０２ｃは、軟判定信号を用いて通信路復号（具体的には、軟判定誤り訂正復号）を実行して受信データ１００ｂを生成する。【００２６】
特許文献２には、シンボル判定用の判定回路を簡略化するための手法が記載されている。【００２７】
特許文献２に記載の手法では、シンボルを構成するｍ＋ｎビットのデータが、硬判定が行われるビット（ｍビット）と軟判定が行われるビット（ｎビット）とに分けられる。ｎビットについては軟判定が実行され、残りのｍビットについては硬判定が実行される。【００２８】
特許文献２に記載の手法では、軟判定が実行されるビット数がｍ＋ｎではなくｎとなる。このため、特許文献２に記載の手法は、シンボルを構成するｍ＋ｎビットについて軟判定を行う場合に比べて、判定処理を簡略化でき、よって、シンボル判定用の判定回路を簡略化することが可能になる。【００２９】
また、特許文献３には、軟判定値（対数尤度比）の算出を容易にする対数尤度比演算回路が記載されている。【００３０】
この対数尤度比演算回路は、グレイ符号化による配置が実現されていないＱＡＭ変調方式の場合（例えば、シンボル数が２の奇数乗となるＱＡＭ変調方式の場合）、複数のビットを、ビット値の変化がｘ座標またはｙ座標のいずれか一方のみに依存するビット（以下「一次元依存ビット」と称する）と、ビットの値の変化がｘ座標とｙ座標の両方に依存するビット（以下「二次元依存ビット」と称する）と、に分ける。この対数尤度比演算回路は、一次元依存ビットと二次元依存ビットとで、対数尤度比の算出手法を切り替える。【００３１】
一次元依存ビットの値の変化は、二次元依存ビットの値の変化よりも複雑ではないので、一次元依存ビットの対数尤度比の算出手法は、二次元依存ビットの対数尤度比の算出手法よりも簡略化されている。換言すると、二次元依存ビットについての対数尤度比の算出手法は、一次元依存ビットについての対数尤度比の算出手法よりも、複雑な計算を必要とする。
【先行技術文献】
【特許文献】
【００３２】
【特許文献１】特開２００３−１７９６５７号公報
【特許文献２】特開２００６−７４８１７号公報
【特許文献３】国際公開２００８／０３８７４９号
【発明の概要】
【発明が解決しようとする課題】
【００３３】
特許文献２に記載の手法は、軟判定を実行するビット数を少なくすることによって、シンボル判定処理を簡略化している。【００３４】
しかしながら、特許文献２には、軟判定自体を簡略化する具体的な手法は記載されていない。【００３５】
特許文献２に記載の軟判定を簡略化するために、特許文献３に記載の手法を用いることが考えられるが、この場合、二次元依存ビットの軟判定については複雑な計算が必要となるという課題があった。【００３６】
本発明の目的は、上記課題を解決可能な復調装置、復調方法およびプログラムを提供することである。
【課題を解決するための手段】
【００３７】
本発明の復調装置は、
多値変調された信号を受信し、当該信号に基づいて信号平面での受信信号点を特定する受信信号点特定手段と、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定する尤度特定手段と、
前記特定ビットの値について前記尤度を用いて軟判定復号する復号手段と、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する所定ビット値特定手段と、を含む。【００３８】
本発明の復調方法は、
復調装置が行う復調方法であって、
多値変調された信号を受信し、当該信号に基づいて信号平面での受信信号点を特定し、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定し、
前記特定ビットの値について前記尤度を用いて軟判定復号し、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する。【００３９】
本発明の記録媒体は、
コンピュータに、
多値変調された信号を受信し、当該信号に基づいて信号平面での受信信号点を特定する受信信号点特定手順と、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定する尤度特定手順と、
前記特定ビットの値について前記尤度を用いて軟判定復号する復号手順と、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する所定ビット値特定手順と、を実行させるプログラムを記録したコンピュータ読み取り可能な記録媒体である。
【発明の効果】
【００４０】
本発明によれば、シンボル判定処理において、軟判定を実行するビット数を少なくしつつ、実行される軟判定を容易にすることが可能になる。
【図面の簡単な説明】
【００４１】
【図１】関連技術の多値ＱＡＭ送受信回路１００を示した図である。
【図２】４ビットの伝送データとシンボルとの対応を示した図である。
【図３】ｘｙ平面上に配置された１６個の変調信号点の一例を示した図である。
【図４】変調信号点とシンボルとの対応関係の一例を示した図である。
【図５】本発明の第１実施形態の復調装置を含む多値ＱＡＭ送受信回路１を示した図である。
【図６】本実施形態で用いられる送信データのフォーマットを示した図である。
【図７】信号点変換回路１ａ３に入力される５ビットのデータ（シンボル）を示した図である。
【図８】ｘｙ平面上に配置された３２個の変調信号点４の一例を示した図である。
【図９Ａ】各変調信号点に、その変調信号点に対応する５ビットのデータのうち、ＭＳＢの値を配置した例を示した図である。
【図９Ｂ】各変調信号点に、その変調信号点に対応する５ビットのデータのうち、２ＳＢの値を配置した例を示した図である。
【図９Ｃ】各変調信号点に、その変調信号点に対応する５ビットのデータのうち、３ＳＢの値を配置した例を示した図である。
【図９Ｄ】各変調信号点に、その変調信号点に対応する５ビットのデータのうち、４ＳＢの値を配置した例を示した図である。
【図９Ｅ】各変調信号点に、その変調信号点に対応する５ビットのデータのうち、５ＳＢの値を配置した例を示した図である。
【図１０】３２ＱＡＭ受信コンスタレーションの一例を示した図である。
【図１１】硬判定回路１ｂ４の一例を示した図である。
【図１２】４ＳＢ、５ＳＢにて構成される値が“01”であった場合の候補信号点を示した図である。
【図１３】４ＳＢ、５ＳＢにて構成される値が“11”であった場合の候補信号点を示した図である。
【図１４】４ＳＢ、５ＳＢにて構成される値が“00”であった場合の候補信号点を示した図である。
【図１５】４ＳＢ、５ＳＢにて構成される値が“10”であった場合の候補信号点を示した図である。
【図１６】１２８ＱＡＭ受信コンスタレーションの一例を示した図である。
【図１７】下位の４ビットが表す値が“0100”であった場合の候補信号点を示した図である。
【図１８】６４ＱＡＭでの変調信号点とシンボルとの対応関係の一例を示した図である。
【発明を実施するための形態】
【００４２】
以下、本発明の実施形態について図面を参照して説明する。
【００４３】
（第１実施形態）
図５は、本発明の第１実施形態の復調装置を含む多値ＱＡＭ送受信回路１を示した図である。なお、図５において、図１に示したものと同一構成のものには同一符号を付してある。
【００４４】
多値ＱＡＭ送受信回路１は、多値ＱＡＭ方式として３２ＱＡＭ方式を採用する。なお、多値ＱＡＭ送受信回路１が採用する多値ＱＡＭ方式は、３２ＱＡＭ方式に限らない。多値ＱＡＭ方式は、変調信号点の数が２の奇数乗である多値変調方式であってもよく、変調信号点の数が２の偶数乗である多値変調方式であってもよい。
【００４５】
多値ＱＡＭ送受信回路１は、送信回路１ａと、受信回路１ｂと、を含む。
【００４６】
送信回路１ａは、通信路符号化回路１ａ１と、遅延合わせ回路１ａ２と、信号点変換回路１ａ３と、ディジタル変調回路１０１ｃと、を含む。
【００４７】
受信回路１ｂは、ディジタル復調回路１０２ａと、信号点逆変換回路１ｂ１と、通信路復号化回路１ｂ２と、遅延合わせ回路１ｂ３と、硬判定回路１ｂ４と、を含む。
【００４８】
まず、送信回路１ａについて説明する。
【００４９】
通信路符号化回路１ａ１は、送信データのうち、軟判定が行われるビットのデータ（以下「第１データ」と称する）を受け付け、そのデータについて通信路符号化を行う。本実施形態では、通信路符号化回路１ａ１は、通信路符号として任意のブロック符号を用い、２ビットのデータを出力する。
【００５０】
図６は、本実施形態で用いられる送信データのフォーマットを示した図である。
【００５１】
図６に示すように、送信データは５ビットのデータである。下位２ビット（４ＳＢ（4th Significant Bit）と５ＳＢ（5th Significant Bit））のデータが、第１データとして用いられる。上位３ビット（ＭＳＢ（Most Significant Bit）と２ＳＢ（2nd Significant Bit）と３ＳＢ（3rd Significant Bit））のデータが、硬判定が行われるビットのデータ（以下「第２データ」と称する）として用いられる。
【００５２】
第１データには、ブロック符号化にて生成される検査ビットが挿入される検査ビット区間が予め設定されている。
【００５３】
通信路符号化回路１ａ１は、第１データに対してブロック符号を実行する。通信路符号化回路１ａ１は、第１データの検査ビット期間に検査ビットを挿入する。通信路符号化回路１ａ１は、検査ビットが挿入された２ビットのデータを信号点変換回路１ａ３に出力する。
【００５４】
遅延合わせ回路１ａ２は、送信データのうち、第２データ（上位３ビットのデータ）を受け付ける。遅延合わせ回路１ａ２は、第２データを、通信路符号化回路１ａ１で発生する処理遅延時間と同じ時間遅延させる。遅延合わせ回路１ａ２は、遅延された第２データを信号点変換回路１ａ３に出力する。
【００５５】
信号点変換回路１ａ３は、通信路符号化回路１ａ１から出力された２ビットのデータと遅延合わせ回路１ａ２から出力された３ビットのデータとで表される５ビットのデータを、シンボルとして受け付ける。
【００５６】
図７は、信号点変換回路１ａ３に入力される５ビットのデータ（シンボル）を示した図である。
【００５７】
図７において、信号点変換回路１ａ３に入力される５ビットのデータでは、検査ビット区間に検査ビットが挿入されている。
【００５８】
信号点変換回路１ａ３は、５ビットのデータにて表される３２通りのデータと、ｘｙ平面に予め設定された３２個の変調信号点と、の１対１の対応関係（ＱＡＭシンボル配置）を予め記憶している。
【００５９】
図８は、ｘｙ平面上に配置された３２個の変調信号点４の一例を示した図である。
【００６０】
図９Ａ〜図９Ｅは、３２個の変調信号点と５ビットのデータ（シンボル）との対応関係を示した図である。なお、図９Ａ〜図９Ｅにおいて、「＋」はビット値が「０」であることを示し、「−」はビット値が「１」であることを示す。
【００６１】
図９Ａは、各変調信号点に、その変調信号点に対応する５ビットのデータのうち、ＭＳＢの値を配置した例を示した図である。
【００６２】
図９Ｂ、図９Ｃ、図９Ｄおよび図９Ｅは、それぞれ、各変調信号点に、その変調信号点に対応する５ビットのデータのうち、２ＳＢの値、３ＳＢの値、４ＳＢの値、５ＳＢの値を配置した例を示した図である。
【００６３】
ここで、本実施形態でのＱＡＭシンボル配置について説明する。
【００６４】
図９Ａ、図９Ｂおよび図９Ｃに示したように、ＭＳＢ、２ＳＢ、３ＳＢでは、ｘｙ平面においてビット値が変化する境界（硬判定境界）として、ｘ座標とｙ座標の両方に依存して傾きが変化する境界５０ａが含まれる。
【００６５】
これに対して、図９Ｄに示したように、４ＳＢでは、ｘ座標とｙ座標の両方に依存して傾きが変化する境界５０ａはなく、境界（硬判定境界）５０ａがｙ軸と平行になっている。
【００６６】
このため、４ＳＢの値は、ｘ座標とｙ座標のうちｘ座標にのみ依存して変化する。よって、４ＳＢの値の尤度は、ｘ座標とｙ座標のうちｘ座標のみに応じて変化することになる。したがって、４ＳＢの値の尤度の算出は、ＭＳＢ、２ＳＢ、３ＳＢのようにｘ座標とｙ座標の両方に依存して値が変化する尤度の算出よりも容易になる。
【００６７】
また、図９Ｅに示したように、５ＳＢでも、ｘ座標とｙ座標の両方に依存して変化する境界５０ａはなく、境界（硬判定境界）５０ａがｘ軸と平行になっている。
【００６８】
このため、５ＳＢの値は、ｘ座標とｙ座標のうちｙ座標にのみ依存して変化する。よって、５ＳＢの値の尤度は、ｘ座標とｙ座標のうちｙ座標のみに応じて変化することになる。したがって、５ＳＢの値の尤度の算出は、４ＳＢの値の尤度の算出と同様に、ＭＳＢ、２ＳＢ、３ＳＢのようにｘ座標とｙ座標の両方に依存して値が変化する尤度の算出よりも容易になる。
【００６９】
本実施形態では、軟判定復号に必要となる尤度を表す軟判定値の算出が容易なビット（４ＳＢおよび５ＳＢ）については、軟判定復号が行われる。軟判定復号に必要となる尤度を表す軟判定値の算出が複雑になるビット（ＭＳＢ、２ＳＢ、３ＳＢ）については、軟判定復号が行われない。
【００７０】
また、３２個の変調信号点のうち、４ＳＢの値と５ＳＢの値とが共通する５ビットのデータ（シンボル）に対応する８個の変調信号点について説明すると、８個の変調信号点間の距離は等しくなっている。
【００７１】
図５に戻って、信号点変換回路１ａ３は、３２個の変調信号点の中から、通信路符号化回路１ａ１からの２ビットのデータと遅延合わせ回路１ａ２からの３ビットのデータとで表される５ビットのデータ（シンボル）に対応する変調信号点（対応変調信号点）を特定する。
【００７２】
信号点変換回路１ａ３は、５ビットのデータ（シンボル）を対応変調信号点の座標（ｘ、ｙ）に変換する。信号点変換回路１ａ３は、対応変調信号点の座標（ｘ、ｙ）をディジタル変調回路１０１ｃに出力する。
【００７３】
ディジタル変調回路１０１ｃは、位相が直交する２つの波の一方の波の振幅を、対応変調信号点のｘ座標に応じて変調し、他方の波の振幅を、対応変調信号点のｙ座標に応じて変調する。ディジタル変調回路１０１ｃは、振幅が変調された２つの波を合成して変調信号（多値変調信号）を生成する。
【００７４】
変調信号（多値変調信号）は、Ｄ／Ａ変換部２００にてディジタル信号からアナログ信号に変換され、不図示のアンテナから送信される。
【００７５】
次に、受信回路１ｂについて説明する。
【００７６】
受信回路１ｂは復調装置の一例である。受信回路１ｂは、軟判定復号に必要となる尤度（尤度を表す軟判定値）の算出が容易なビット（４ＳＢおよび５ＳＢ）については軟判定復号を行い、軟判定復号に必要となる尤度（尤度を表す軟判定値）の算出が複雑になるビット（ＭＳＢ、２ＳＢ、３ＳＢ）については、軟判定復号を行わずに値を特定する。
【００７７】
不図示のアンテナが、不図示の他の多値ＱＡＭ送受信回路から送信された変調信号（多値変調信号）を受信する。Ａ／Ｄ変換部３００が、受信された変調信号（多値変調信号）をアナログ信号からディジタル信号に変換する。
【００７８】
ディジタル復調回路１０２ａは、受信信号点特定手段の一例である。
【００７９】
ディジタル復調回路１０２ａは、Ａ／Ｄ変換部３００からの変調信号（多値変調信号）を受信する。ディジタル復調回路１０２ａは、その変調信号を復調して受信信号点（ｘ座標、ｙ座標）を求める。ディジタル復調回路１０２ａは、受信信号点を表す復調信号を生成する。ディジタル復調回路１０２ａは、復調信号を、信号点逆変換回路１ｂ１と遅延合わせ回路１ｂ３に出力する。
【００８０】
信号点逆変換回路１ｂ１は、尤度特定手段の一例である。
【００８１】
信号点逆変換回路１ｂ１は、受信信号点から硬判定にて５ビットのデータを特定する。      
【００８２】
信号点逆変換回路１ｂ１は、受信信号点から特定（硬判定）されるデータを構成する５ビットのうち、ｘｙ平面において値が変化する境界（硬判定境界）がｘｙ平面を規定するｘ軸およびｙ軸の一方と平行な４ＳＢおよび５ＳＢの各々について、該ビットの値の尤度を、受信信号点と該ビットの境界との距離に基づいて特定する。
【００８３】
信号逆変換回路１ｂ１は、４ＳＢおよび５ＳＢの各値およびその尤度を表す軟判定信号を通信路復号化回路１ｂ２に出力する。
【００８４】
通信路復号化回路１ｂ２は、復号手段の一例である。
【００８５】
通信路復号化回路１ｂ２は、軟判定信号を受け付け、４ＳＢおよび５ＳＢの値について、４ＳＢおよび５ＳＢの値の尤度を用いて軟判定復号する。本実施形態では、通信路復号化回路１ｂ２は、軟判定復号として、軟判定ブロック復号を実行する。
【００８６】
通信路復号化回路１ｂ２は、軟判定ブロック復号にて誤りが訂正された４ＳＢおよび５ＳＢの値を表すデータ（例えば、図７に示した下位２ビットの伝送データに対応）を、硬判定回路１ｂ４に出力する。
【００８７】
遅延合わせ回路１ｂ３は、ディジタル復調回路１０２ａから復調信号を受け付け、復調信号を、信号点逆変換回路１ｂ１および通信路復号化回路１ｂ２の各々で発生する処理遅延時間を合計した時間と同じ時間遅延させて硬判定回路１ｂ４に出力する。
【００８８】
硬判定回路１ｂ４は、所定ビット値特定手段の一例である。
【００８９】
硬判定回路１ｂ４は、３２個の変調信号点に対応する３２種類のデータの中から、通信路復号化回路１ｂ２からの２ビットのデータを、４ＳＢと５ＳＢのデータとして有する８種類のデータ（以下「候補データ」と称する）を特定する。
【００９０】
硬判定回路１ｂ４は、３２個の変調信号点の中から、８種類の候補データに対応する８個の変調信号点を、複数の候補点信号として特定する。
【００９１】
硬判定回路１ｂ４は、８個の候補信号点のうち受信信号点までの距離が最も短い信号点（以下「該当信号点」と称する）を特定する。硬判定回路１ｂ４は、該当信号点に対応づけられたデータを用いて、受信信号点から特定されるデータを構成する５ビットのうちＭＳＢ、２ＳＢおよび３ＳＢの各々の値を特定する。なお、ＭＳＢ、２ＳＢおよび３ＳＢは所定ビットの一例である。
【００９２】
本実施形態では、硬判定回路１ｂ４は、該当信号点に対応づけられたデータのＭＳＢ、２ＳＢおよび３ＳＢの各々の値を、受信信号点から特定されるデータを構成する５ビットのＭＳＢ、２ＳＢおよび３ＳＢの各々の値として特定する。
【００９３】
次に、受信回路１ｂの動作について説明する。
【００９４】
ディジタル復調回路１０２ａは、変調信号（多値変調信号）を受信すると、変調信号（多値変調信号）を復調して受信信号点を求める。
【００９５】
続いて、ディジタル復調回路１０２ａは、受信信号点を表す復調信号を生成し、復調信号を、信号点逆変換回路１ｂ１と遅延合わせ回路１ｂ３に出力する。
【００９６】
信号点逆変換回路１ｂ１は、復調信号を受け付けると、復調信号が表す受信信号点に対応する５ビットの値について、まず、硬判定を行う。
【００９７】
例えば、受信信号点の位置（ｘ座標、ｙ座標）が、図１０に示した位置Ｘ（“00101”シンボル領域内の位置）であった場合、信号点逆変換回路１ｂ１は、軟判定復号化を行う前の段階でのシンボル判定値（５ビットのデータの硬判定値）として、“00101”を特定する。
【００９８】
続いて、信号点逆変換回路１ｂ１は、“00101”の４ＳＢの値“0”と、“00101”の５ＳＢの値“1”と、の各々について尤度を算出する。
【００９９】
ここで、尤度の算出手法の一例を説明する。
【０１００】
例えば、信号点逆変換回路１ｂ１は、４ＳＢの値“0”と５ＳＢの値“1”との各々について、該ビットについての複数の境界５０（図９Ｄ、図９Ｅ参照）のうち受信信号点に最も近い境界と受信信号点との距離を算出し、この距離に基づいて尤度を算出する。
【０１０１】
この算出された距離は、受信信号点が境界に近いほど小さくなる。また、受信信号点が境界に近いほど、受信信号点から特定されるビットの値の尤もらしさは低くなる。つまり、この算出された距離が小さくなるほど、受信信号点から特定されるビットの値の尤もらしさは低くなる。
【０１０２】
本実施形態では、信号点逆変換回路１ｂ１は、図９Ｄ、図９Ｅに示した各１ビットにおける２値シンボル“＋”または“−”の尤度を多値レベルで算出する。なお、“＋”はビット値“0”に対応し、“−”はビット値“1”に対応する。
【０１０３】
尤度の表現方法について説明すると、例えば、シンボル“＋”を数値1.000、シンボル“−”を数値-1.000で表すとし、あるビットの値についての尤度が、-1.000から1.000までの範囲に含まれる値を用いて表現される。この場合、尤度が0.000に近いほど、ビット値の尤もらしさが小さくなる。
【０１０４】
信号点逆変換回路１ｂ１は、４ＳＢ、５ＳＢについて、受信信号点に最も近い境界と受信信号点との距離が小さいほど、そのビットの値についての尤度を0.000に近づけていく。
【０１０５】
また、信号点逆変換回路１ｂ１は、４ＳＢ、５ＳＢについて、受信信号点に最も近い境界と受信信号点との距離が、境界５０間の最短距離の１／２に近いほど、そのビットの値についての尤度を1.000または-1.000に近づけていく。
【０１０６】
例えば、あるビット（４ＳＢまたは５ＳＢ）の硬判定結果の値が“0”（つまり“＋”）の状況では、信号点逆変換回路１ｂ１は、受信信号点に最も近い境界と受信信号点との距離が小さくなるほど、尤度を1.000から0.000に近づけていき、受信信号点に最も近い境界と受信信号点との距離が境界５０間の最短距離の１／２に近づくほど、尤度を1.000に近づけていく。
【０１０７】
また、あるビット（４ＳＢまたは５ＳＢ）の硬判定結果の値が“1”（つまり“−”）の状況では、信号点逆変換回路１ｂ１は、受信信号点に最も近い境界と受信信号点との距離が小さくなるほど、尤度を-1.000から0.000に近づけていき、受信信号点に最も近い境界と受信信号点との距離が境界５０間の最短距離の１／２に近づくほど、尤度を-1.000に近づけていく。
【０１０８】
さらに言えば、この尤度は、シンボルの硬判定結果も表す。例えば、硬判定の結果が“1”（つまり“−”）である場合、尤度は負の値となり、一方、硬判定の結果が“0”（つまり“＋”）である場合、尤度は正の値となる。
【０１０９】
なお、本実施形態では、尤度の分解能の精度を少数第３位としているが、尤度の分解能の精度は、これに限らず適宜変更可能である。
【０１１０】
信号点逆変換回路１ｂ１は、４ＳＢと５ＳＢの各々の値についての尤度を算出すると、４ＳＢと５ＳＢの各々の値とその尤度を表す軟判定信号を生成する。
【０１１１】
本実施形態では、尤度は、４ＳＢと５ＳＢの各々の値（硬判定結果）も表すので、信号点逆変換回路１ｂ１は、４ＳＢと５ＳＢの尤度を表す軟判定信号を生成する。
【０１１２】
なお、信号点逆変換回路１ｂ１が、特許文献３に記載の対数尤度比演算回路を含んでもよく、この場合、信号点逆変換回路１ｂ１は、この対数尤度比演算回路の出力を、軟判定信号として用いる。
【０１１３】
続いて、信号点逆変換回路１ｂ１は、軟判定信号を通信路復号化回路１ｂ２に出力する。
【０１１４】
通信路復号化回路１ｂ２は、軟判定信号を受け付けると、４ＳＢおよび５ＳＢの値を、４ＳＢおよび５ＳＢの値の尤度を用いて軟判定ブロック復号する。通信路復号化回路１ｂ２での軟判定ブロック復号にて、４ＳＢおよび５ＳＢの値の推定は完了する。
【０１１５】
続いて、通信路復号化回路１ｂ２は、軟判定ブロック復号にて誤りが訂正された４ＳＢおよび５ＳＢの値を表すデータを、硬判定回路１ｂ４に出力する。
【０１１６】
硬判定回路１ｂ４は、通信路復号化回路１ｂ２からのデータ（４ＳＢおよび５ＳＢの値を表すデータ）と、遅延合わせ回路１ｂ３からの信号（受信信号点を表す信号）と、を受け付けると、それらを用いて、ＭＳＢ、２ＳＢおよび３ＳＢの値を特定する。
【０１１７】
以下、硬判定回路１ｂ４について説明する。
【０１１８】
図１１は、硬判定回路１ｂ４の一例を示した図である。
【０１１９】
図１１において、硬判定回路１ｂ４は、８個の上位３ビット下位２ビット結合回路１ｂ４１と、８個の信号点変換回路１ｂ４２と、８個の距離比較回路１ｂ４３と、出力回路１ｂ４４と、遅延合わせ回路１ｂ４５と、を含む。８個の上位３ビット下位２ビット結合回路１ｂ４１と、８個の信号点変換回路１ｂ４２と、８個の距離比較回路１ｂ４３とは、それぞれ個別に対応している。
【０１２０】
８個の上位３ビット下位２ビット結合回路１ｂ４１は、それぞれ、上位３ビットの値として、“000”、“001”、“010”、“011”、“100”、“101”、“110”、“111”を受け付け、下位２ビットの値として、通信路復号化回路１ｂ２からのデータに示された４ＳＢおよび５ＳＢの値を受け付け、上位３ビットの値と下位２ビットの値とを結合する。
【０１２１】
８個の信号点変換回路１ｂ４２は、図５に示した信号点変換回路１ａ３と同一構成であり、対応する上位３ビット下位２ビット結合回路１ｂ４１からの５ビットのデータ（候補データ）に応じた対応変調信号点（候補信号点）の座標（ｘ、ｙ）を出力する。
【０１２２】
図１２は、４ＳＢ、５ＳＢにて構成される値が“01”であった場合の８通りの候補信号点を示した図である。なお、候補信号点は、斜線にて示されている。
【０１２３】
図１３は、４ＳＢ、５ＳＢにて構成される値が“11”であった場合の８通りの候補信号点を示した図である。なお、候補信号点は、斜線にて示されている。
【０１２４】
図１４は、４ＳＢ、５ＳＢにて構成される値が“00”であった場合の８通りの候補信号点を示した図である。なお、候補信号点は、斜線にて示されている。
【０１２５】
図１５は、４ＳＢ、５ＳＢにて構成される値が“10”であった場合の８通りの候補信号点を示した図である。なお、候補信号点は、斜線にて示されている。
【０１２６】
４ＳＢ、５ＳＢにて構成される値は、図１２〜図１５に示したように、“01”、“11”、“00”、“10”の４通りとなるが、いずれの場合も、候補信号点同士の間隔は等間隔となる。
【０１２７】
このため、受信信号点に最も近い候補信号点を探すことによって、上位３ビットの値を推定することが可能になる。これは限界距離復号法を適用していることに近い。
【０１２８】
８個の距離比較回路１ｂ４３は、対応する信号点変換回路１ｂ４２からの対応変調信号点（候補信号点）と受信信号点との距離を算出する。
【０１２９】
出力回路１ｂ４４は、８個の距離比較回路１ｂ４３のうち、最も小さい距離を算出した距離比較回路１ｂ４３を特定し、その特定された距離比較回路１ｂ４３に対応する上位３ビット下位２ビット結合回路１ｂ４１に入力された上位３ビットの値を、ＭＳＢ、２ＳＢおよび３ＳＢの値として出力する。
【０１３０】
また、遅延合わせ回路１ｂ４５は、通信路復号化回路１ｂ２からのデータに示された４ＳＢおよび５ＳＢの値を、上位３ビット下位２ビット結合回路１ｂ４１と信号点変換回路１ｂ４２と距離比較回路１ｂ４３と出力回路１ｂ４４の各々で発生する処理遅延時間を合計した時間と同じ時間遅延させて出力する。
【０１３１】
硬判定回路１ｂ４からの５ビットのデータは、受信データとして扱われる。
【０１３２】
次に、本実施形態の効果について説明する。
【０１３３】
本実施形態によれば、ディジタル復調回路１０２ａは、多値変調された信号を受信し、その信号に基づいてｘｙ平面での受信信号点を特定する。
【０１３４】
信号点逆変換回路１ｂ１は、受信信号点から特定されるデータを構成する複数のビットのうち、ｘｙ平面において値が変化する境界がｘ軸とｙ軸の一方と平行な特定ビット（４ＳＢ、５ＳＢ）について、特定ビットの値の尤度を、受信信号点と特定ビットの境界との距離に基づいて特定する。
【０１３５】
通信路復号化回路１ｂ２は、特定ビットの値について特定ビットの値の尤度を用いて軟判定復号する。
【０１３６】
硬判定回路１ｂ４は、多値変調で使用される複数の変調信号点の中から、複数の変調信号点の各々に対応づけられたデータ（シンボル）のうち軟判定復号された特定ビットの値を有する候補データに対応する複数の候補信号点を特定する。そして、硬判定回路１ｂ４は、複数の候補信号点のうち受信信号点までの距離が最も短い該当信号点に対応づけられたデータを用いて、複数のビットのうち特定ビット以外のビットである所定ビットの値を特定する。
【０１３７】
このため、軟判定復号に必要となる尤度（軟判定結果）の算出が容易な特定ビット（４ＳＢおよび５ＳＢ）については軟判定復号を行い、軟判定復号に必要となる尤度（軟判定結果）の算出が複雑になる所定ビット（ＭＳＢ、２ＳＢ、３ＳＢ）については軟判定復号を行わずに値を特定することが可能になる。
【０１３８】
よって、シンボル判定処理において、軟判定を実行するビット数を少なくしつつ、実行される軟判定を容易にすることが可能になる。
【０１３９】
また、本実施形態では、特定ビットが、複数のビットのうち下位の偶数個のビットとなるように、複数の変調信号点の位置と、複数の変調信号点に対応するデータとが、設定されている。
【０１４０】
本実施形態は、３２ＱＡＭ、１２８ＱＡＭ、５１２ＱＡＭ、２０４８ＱＡＭのように変調信号点の数が２(2n+1)（ただしｎは２以上の整数）であるＱＡＭ方式（変調信号点配置がクロス型）に共通に適用できるので、例えば、データ通信を行っている際に、変調信号点を規定するｎが２以上の整数の中で変更される適応変調方式にも適用可能である。
【０１４１】
本実施形態が、変調信号点を規定するｎが２以上の整数の中で変化する適応変調方式に適用された場合、所定ビットの数は、ｎの値に関わらず一定にすることが望ましい。例えば、特定ビットが、変調信号点に対応するデータの２ｎ＋１ビットのうち下位の２ｎ−２ビットとなるように、複数の変調信号点の位置と複数の変調信号点に対応するデータとが設定され、所定ビットの数を３に固定する。
【０１４２】
なお、本実施形態は、クロス型つまり変調信号点の数が２の奇数乗の変調方式に特に有効であるが、正方形型つまり変調信号点の数が２の偶数乗の変調方式に用いられてもよい。
【０１４３】
（第２実施形態）
次に、第２実施形態として、変調方式が１２８ＱＡＭである場合について、第１実施形態と異なる点を中心に説明する。
【０１４４】
第２実施形態の構成は、基本的に第１実施形態の構成（図５に示した構成）と同様であるが、変調方式の違いにより、以下に示すように種々の機能が異なっている。
【０１４５】
第２実施形態では、送信データおよび受信データは７ビットのデータとなり、変調信号点の配置形状としては、図９Ａ〜図９Ｄおよび図１０に示した３２ＱＡＭでのひとつの変調信号点領域が４つの信号点領域に分割され、変調信号点の数およびその領域の数は、１２８となる。
【０１４６】
このため、１２８ＱＡＭの場合でも、入り組んだ硬判定境界５０ａを持つビットは、ＭＳＢ、２ＳＢおよび３ＳＢの上位３ビットとなり、下位の４ビットはどのビットも硬判定境界５０はｘ座標またはｙ座標のいずれかと平行になる。
【０１４７】
よって、第２実施形態では、特定ビットとして下位の４ビットが用いられ、所定ビットとして上位３ビットが用いられる。
【０１４８】
例えば、受信コンスタレーションが図１６に示す状態であったとすると、信号点逆変換回路１ｂ１は、下位の４ビットだけ各々のビットの値につきシンボル軟判定を行い、シンボル“＋”またはシンボル“−”の尤度を数値1.000〜-1.000で表現する。そして、通信路復号化回路１ｂ２が、下位の４ビットの各々のビットの値について、その尤度を用いて軟判定復号を実行して、下位の４ビットの各値を推定する。
【０１４９】
推定された下位の４ビットが表す値としては１６通りが存在する。
【０１５０】
以下では、下位の４ビットが表す値が“0100”であった場合の例を説明する。
【０１５１】
図１７は、下位の４ビットが表す値が“0100”であった場合の８個の候補信号点を示した図である。
【０１５２】
８個の候補信号点同士の間隔は、等間隔であり、離れているので、硬判定回路１ｂ４は、上位３ビットの値の推定を、限界距離復号法を用いて実行する。
【０１５３】
なお、下位４ビットの値が残りの１５通りのいずれかであっても、８つの候補信号点同士の間隔は、下位の４ビットが表す値が“0100”であった場合の間隔と等しくなり、この場合も、硬判定回路１ｂ４は、上位３ビットの値の推定を、限界距離復号法を用いて実行する。
【０１５４】
また、５１２ＱＡＭ、２０４８ＱＡＭでも、基本となる３２ＱＡＭシンボル配置（図９Ａ〜図９Ｄおよび図１０に示したシンボル配置）を採用し、特定ビットを、下位６ビット、下位８ビットとすることによって、複雑化しない軟判定方法を用いることが可能になる。なお、いずれの場合も、上位３ビットの推定方法は、３２ＱＡＭ・１２８ＱＡＭと同様である。
【０１５５】
（第３実施形態）
次に、第３実施形態として、変調方式が、正方形型つまり変調信号点の数が２の偶数乗の変調方式である場合について、第１実施形態と異なる点を中心に説明する。以下では、変調信号点の数が２の偶数乗の変調方式の一例として６４ＱＡＭ方式を説明する。
【０１５６】
第３実施形態の構成は、基本的に第１実施形態の構成（図５に示した構成）と同様であるが、変調方式の違いにより、以下に示すように種々の機能が異なっている。
【０１５７】
第３実施形態では、送信データおよび受信データは６ビットのデータとなる。
【０１５８】
図１８は、第３実施形態で用いる変調信号点の配置を示した図である。
【０１５９】
図１８に示した例では、６ビットのデータのうち、下位４ビットが特定ビットとして用いられ、上位２ビットが所定ビットとして用いられる。
【０１６０】
特定ビットで示されるシンボルは１６通りで、その１６個のシンボルの配置（変調信号点との対応）は、図４に示した１６ＱＡＭの例と全く同じである。
【０１６１】
図１８に示した例では、特定ビットで示される１６個のシンボルの配置が、所定ビット（２ビット）で示される４通り分設けられ、その４つがｘｙ平面に並べられている。
【０１６２】
本実施形態では、信号点逆変換回路１ｂ１は、下位の４ビットだけ各々のビットの値につきシンボル軟判定を行い、シンボル“＋”またはシンボル“−”の尤度を数値1.000〜-1.000で表現する。そして、通信路復号化回路１ｂ２が、下位の４ビットの各々のビットの値について、その尤度を用いて軟判定復号を実行して、下位の４ビットの各値を推定する。
【０１６３】
推定された下位の４ビットが表す値としては１６通りが存在する。
【０１６４】
本実施形態では、推定された下位の４ビットにて表される１つの値について、４個の候補信号点が生じる。
【０１６５】
図１８から明らかなように、４個の候補信号点同士の間隔は、等間隔であるので、硬判定回路１ｂ４は、上位２ビットの値の推定を、３２ＱＡＭ・１２８ＱＡＭと同様と方式で実行する。
【０１６６】
上記各実施形態において、送信回路１ａまたは受信回路１ｂは、コンピュータにて実現されてもよい。この場合、このコンピュータは、コンピュータにて読み取り可能なＣＤ−ＲＯＭ（Compact Disk Read Only Memory）のような記録媒体に記録されたプログラムを読込み実行して、送信回路１ａまたは受信回路１ｂが有する機能を実行する。記録媒体は、ＣＤ−ＲＯＭに限らず適宜変更可能である。
【０１６７】
以上説明した各実施形態において、図示した構成は単なる一例であって、本発明はその構成に限定されるものではない。
【０１６８】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１３年４月２３日に出願された日本出願特願２０１３−９０３３３を基礎とする優先権を主張し、その開示の全てをここに取り込む。
【符号の説明】
【０１６９】
１        多値ＱＡＭ送受信回路
１ａ      送信回路
１ａ１    通信路符号化回路
１ａ２    遅延合わせ回路
１ａ３    信号点変換回路
１０１ｃ  ディジタル変調回路
１ｂ      受信回路
１０２ａ  ディジタル復調回路
１ｂ１    信号点逆変換回路
１ｂ２    通信路復号化回路
１ｂ３    遅延合わせ回路
１ｂ４    硬判定回路
１ｂ４１  上位３ビット下位２ビット結合回路
１ｂ４２  信号点変換回路
１ｂ４３  距離比較回路
１ｂ４４  出力回路
２００    Ｄ／Ａ変換部
３００    Ａ／Ｄ変換部
【図１】
2014174862.tif 000003
【図２】
2014174862.tif 000004
【図３】
2014174862.tif 000005
【図４】
2014174862.tif 000006
【図５】
2014174862.tif 000007
【図６】
2014174862.tif 000008
【図７】
2014174862.tif 000009
【図８】
2014174862.tif 000010
【図９Ａ】
2014174862.tif 000011
【図９Ｂ】
2014174862.tif 000012
【図９Ｃ】
2014174862.tif 000013
【図９Ｄ】
2014174862.tif 000014
【図９Ｅ】
2014174862.tif 000015
【図１０】
2014174862.tif 000016
【図１１】
2014174862.tif 000017
【図１２】
2014174862.tif 000018
【図１３】
2014174862.tif 000019
【図１４】
2014174862.tif 000020
【図１５】
2014174862.tif 000021
【図１６】
2014174862.tif 000022
【図１７】
2014174862.tif 000023
【図１８】
2014174862.tif 000024
【手続補正書】
【提出日】平成27年10月7日(2015.10.7)
【手続補正１】
【補正対象書類名】特許請求の範囲
【補正対象項目名】請求項８
【補正方法】変更
【補正の内容】
【請求項８】
コンピュータに、
多値変調された信号を受信し、当該信号に基づいて信号平面での受信信号点を特定する受信信号点特定手順と、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定する尤度特定手順と、
前記特定ビットの値について前記尤度を用いて軟判定復号する復号手順と、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する所定ビット値特定手順と、を実行させるためのプログラム。
【手続補正３】
【補正対象書類名】明細書
【補正対象項目名】００３９
【補正方法】変更
【補正の内容】
【００３９】
本発明のプログラムは、
コンピュータに、
多値変調された信号を受信し、当該信号に基づいて信号平面での受信信号点を特定する受信信号点特定手順と、
前記受信信号点から特定されるデータを構成する複数のビットのうち、前記信号平面において前記ビットの値が変化する境界が前記信号平面を規定する２軸の一方と平行な特定ビットについて、当該特定ビットの値の尤度を、前記受信信号点と当該特定ビットの前記境界との距離に基づいて特定する尤度特定手順と、
前記特定ビットの値について前記尤度を用いて軟判定復号する復号手順と、
前記多値変調で使用される複数の変調信号点の各々に対応づけられたデータの中から、前記軟判定復号された特定ビットの値を用いて複数の候補データを特定し、前記複数の変調信号点の中から、前記複数の候補データに対応する複数の候補信号点を特定し、前記複数の候補信号点の中から、前記受信信号点までの距離が最も短い該当信号点を特定し、前記該当信号点に対応づけられたデータを用いて、前記複数のビットのうち前記特定ビット以外のビットである所定ビットの値を特定する所定ビット値特定手順と、を実行させる。
【国際調査報告】
2014174862.tif 000025
2014174862.tif 000026
2014174862.tif 000027
2014174862.tif 000028